(57)【要約】【課題】この発明は、釣り動作に適した安定した握持を実現し得るようにして、操作性の向上を図ることにある。【解決手段】固定フード１２に、所定の握り状態で手の平及び指が載置され、他の握り状態で一部の指がフード面上に載置可能な形状を有する上記固定フード１２の硬度に比して軟質な滑り止め領域１５を設けて構成したものである。【選択図】      図１
2005185193.tif 000002
【特許請求の範囲】
【請求項１】
竿管に外装され、リールの取付脚が載置されるリール取付脚載置面が設けられたリールシート本体と、
このリールシート本体のリール取付脚載置面を挟んで対向配置され、該リール取付脚載置面に載置された前記取付脚の両端を保持する一方が他方に接離自在に設けられた一対のフードと、
前記一対のフードの少なくとも一方側に設けられ、所定の握り状態で手の平及び指が載置され、他の握り状態で一部の指がフード面上に載置される形状を有する前記フードに比して軟質な軟質層で形成される滑り止め領域と、
を具備したことを特徴とするリールシート。
【請求項２】
前記滑り止め領域は、前記一対のフードのうち固定側フードに設けられることを特徴とする請求項１記載のリールシート。
【請求項３】
前記滑り止め領域は、竿軸を挟む両周縁がリール取付脚載置面側より竿尻方向に竿軸に対して交叉するように傾斜されて形成されることを特徴とする請求項１又は２記載のリールシート。
【請求項４】
前記滑り止め領域は、前記軟質材層が被着される複数の凹状の滑り止め部が設けられることを特徴とする請求項１乃至３のいずれか記載のリールシート。
【発明の詳細な説明】
【技術分野】
【０００１】
この発明は、魚釣用釣竿に用いられるリールシートに関する。
【背景技術】
【０００２】
従来より、魚釣用釣竿においては、リールを装着するためのリールシートが設けられている。このリールシートは、竿管に取付けられるリールシート本体に固定フードと、該固定フードに対向して竿軸方向に移動自在に移動フードが設けられている。そして、このようなリールシートは、リールを装着する場合には、その固定フードに対してリールの取付脚の一方端が挿入され、この状態で、移動フードを移動調整してリールの取付脚の他方端を固定することで、リールの竿管への取付けが行われる（例えば、特許文献１参照）。
【０００３】
このようなリールシートとしては、レバーの起状操作によって、その移動フードを竿軸方向に移動、あるいは固定するレバー式や、ナット部材により、移動フードを竿軸方向に移動、あるいは固定するナット式等の各種の方式のものが知られている。
【０００４】
ところで、このようなリールシートは、リールが上述したように取付けられた状態で、釣り人が、その固定側フードの近傍を握持して、魚とのやりとりや、仕掛けを所望の位置に投入する投擲が行われることで、例えば固定フードの周壁全体に滑り止め部材を設けて、各種の握り状態における滑りを防止するように構成したものが提案されている（例えば、特許文献１参照）。
【特許文献１】特開平２００３―１１６４２号公報
【発明の開示】
【発明が解決しようとする課題】
【０００５】
しかしながら、上記リールシートでは、魚とのやりとりや、投擲等の釣り動作に応じて握持位置を変えることにより、最適な釣り動作が可能なために、釣り動作により、滑り止め部材の存在がかえって邪魔となるという不都合を有する。例えば投擲動作の際には、通常、親指に大きな力が加えられることとなるため、親指が軟質な滑り止め部材に位置すると、該滑り止め部材により、所謂、ぐらついたりして方向性が不安定となるという問題を有する。
【０００６】
この発明は、上記の事情に鑑みてなされたもので、簡易な構成で、釣り動作に適した安定した握持を実現し得るようにして、操作性の向上を図ったリールシートを提供することを目的とする。
【課題を解決するための手段】
【０００７】
この発明は、竿管に外装され、リールの取付脚が載置されるリール取付脚載置面が設けられたリールシート本体と、このリールシート本体のリール取付脚載置面を挟んで対向配置され、該リール取付脚載置面に載置された前記取付脚の両端を保持する一方が他方に接離自在に設けられた一対のフードと、前記一対のフードの少なくとも一方側に設けられ、所定の握り状態で手の平及び指が載置され、他の握り状態で一部の指がフード面上に載置される形状を有する前記フードに比して軟質な軟質層で形成される滑り止め領域とを備えてリールシートを構成した。
【０００８】
上記構成によれば、握持形態として、軟質層で形成される滑り止め領域を握持して手に馴染んだ握持状態と、滑り止め領域と硬質なフード面との双方を利用した投擲に適した握持状態を選択することができる。従って、各釣り動作において、安定した竿操作が可能となり、竿操作性の向上を図ることができる。
【発明の効果】
【０００９】
この発明によれば、簡易な構成で、釣り動作に適した安定した握持を実現し得るようにして、操作性の向上を図ったリールシートを提供することができる。
【発明を実施するための最良の形態】
【００１０】
以下、この発明の実施の形態について、図面を参照して詳細に説明する。
【００１１】
図１及び図２は、この発明の一実施の形態に係るリールシートを示すもので、図１は、側面から見た状態を示し、図２は、リール脚載置面側から見た状態を示す。即ち、リールシート本体１０は、竿管１１の所定の位置に、例えば接着剤を用いて接着されて外装される。このリールシート本体１０は、例えば筒状に形成され、その略中央部にリール取付脚載置面１０１がリール９の取付脚９１（図３参照）に対応して設けられる。そして、このリールシート本体１０には、一対のフード、例えば固定フード１２及び移動フード１３が上記リール取付脚載置面１０１を挟んで設けられる。
【００１２】
固定フード１２は、上記リール取付脚載置面１０１に位置決めされて配され、脚挿入部１２１が上記リール９の取付脚９１の一方端に対応して設けられる。この脚挿入部１２１の外壁部には、図４乃至図６に示すようにカバー収容凹部１２２が設けられ、このカバー収容凹部１２２には、位置規制手段を構成する、例えば一対の凹部１２３が、竿軸を挟んで設けられる。そして、このカバー収容凹部１２２には、例えば装飾及び保護機能を有するカバー部材１４が収容されて接着剤を用いて接着される。
【００１３】
このカバー部材１４は、例えば金属材料や、樹脂材料で図７に示すように上記カバー収容凹部１２２に内装されるように湾曲した所定形状に形成されて、塗装やメッキが施される。そして、このカバー部材１４の背面側には、位置規制手段を構成する、例えば一対の凸部１４１が上記一対の凹部１２３に対応して設けられる。これにより、カバー部材１４は、固定フード１２のカバー収容凹部１２２に収容され、その一対の凸部１４１を、カバー収容凹部１２２の一対の凹部１２３に収容すると、その周縁部がカバー収容凹部１２２に対して略面一に収容された状態で位置決めがなされ、相互間の高精度な接着が実現される。この状態で、例えばカバー部材１４は、図２に示すように固定フード１２が把持されると、図３に示すように人差し指部が掛かり、魚とのやりとり等の際に、竿軸に対して直交する方向及び竿軸方向に力が加わると、その凸部１４１とカバー収容凹部１２２の凹部１２３の作用により、同方向に移動が規制されて初期位置が確保される。なお、上記凸部１４１は、カバー部材１４に対して、例えば一体的に設けても良いし、別体に設けるようにしても良い。
【００１４】
また、上記固定フード１２には、例えば略リング状の滑り止め領域１５が、例えば商品名ベルベックス、セノソフト、ハイセーム等のウレタン系塗装が施されて形成される。この滑り止め領域１５は、リールシート本体１０のリール取付脚載置面１０１に上記リール９の取付脚９１を載置して後述するように取付けて、該リール９を下向きにして釣り人が固定フード１２及び移動フード１３の一部を握持して魚とのやりとりする状態で、図３に示すようにその親指、人差し指、手の平が全体的に接触されると共に、指先端部が、その周縁部に位置されるように、両周縁がリール取付脚載置面１０１側より竿尻方向に竿軸に対して交叉するように傾斜される所定形状に形成される。これにより、例えば釣り人が握持した状態で、手の略全体が滑り止め領域１５に接触されて手の滑りのない馴染んだ握持が実現され、又、投擲を行う際には、該釣り人の親指を、滑り止め領域１５に比して硬質の固定フード１２上に載置することで、ぐらつきのない握持が実現されて正確な安定した投擲動作が可能となる。
【００１５】
さらに、上記滑り止め領域１５には、その両側部に複数の凹部１５１が形成される。これら凹部１５１は、上記ウレタン系塗装が施されると、その内壁に塗料が塗布されることで、その相乗作用により、さらに手に馴染んだ握持が可能となり、魚とのやりとりや、投擲の際の手の指、手の平の滑り防止の促進が図れる。
【００１６】
また、上記移動フード１３は、リールシート本体１０に竿軸方向（矢印Ａ、Ｂ方向）に移動自在に組付けられ、調整ナット部材１６を介して矢印Ａ、Ｂ方向に移動して上記固定フード１２に対して接離される。この調整ナット部材１６は、上記リールシート本体１０に設けられる螺子部１０２に螺合調整自在に設けられ（図８参照）、その螺合調整により、上記移動フード１３を矢印Ａ，Ｂ方向に移動調整する。
【００１７】
上記移動フード１３には、図９及び図１０に示すように位置決め及び滑り止めを構成する例えば略楕円形状の複数の挿通孔１３１が竿軸方向に所定の間隔を有して設けられる。そして、移動フード１３には、その内壁部に取付脚保護用の保護部材１７が上記リールの取付脚に対応して取付けられる。この保護部材１７は、例えばナイロンやＡＢＳ樹脂等で形成され、その内面に複数の凸部１７２が上記移動フードの複数の挿通孔１３１に対応して設けられる。そして、この凸部１７２には、先端部に滑り止め部１７３が設けられる。この滑り止め部１７３は、上記保護部材１７の凸部１７２に比して軟質の例えばゴムやエストラマー等で、該凸部１７２上に一体あるいは別体に形成されて設けられ、その先端部が、上記移動フード１３の挿通孔１３１と面一、あるいは突出して配置される。
【００１８】
上記保護部材１７は、移動フード１３内に収容される上記リール９の取付脚９１を保護し、その凸部１７２が移動フード１３の挿通孔１３１に位置されることで、その位置規制が実現される。同時に、滑り止め部１７３は、移動フード１３の挿通孔１３１に略面一、あるいは突出して設けられる、その凸部１７２の先端の滑り止め部１７３により、釣り人が握持した際の手の滑り機能を有する。
【００１９】
なお、上記竿管は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿管で形成される。そして、この釣竿構造としては、上記振出式、並継ぎ式あるいは印籠継ぎ式等の他の適宜の継合形式に適用することが可能である。
【００２０】
上記リールシート本体１０は、竿管１１の所定の位置に外装されて配され、上記リール９を取り付ける場合、先ず、そのリール９の取付脚９１の一方端を固定フード１２の脚挿入部１２１の挿入した状態で、該リール９の取付脚９１をリール取付脚載置面１０１に載置する。続いて、調整ナット部材１６を締め付けて移動フード１３を竿軸先端方向に移動させて、該移動フード１３を上記リール９の取付脚９１の他方の端部に保護部材１７を介して係止させ、該移動フード１３と上記固定フード１２とで協働して上記リール９の取付脚９１を位置決め保持する。ここで、リール９は、その取付脚９１がリールシート本体１０のリール取付脚載置面１０１上に取付け配置され、所望の固定フード１２の滑り止め領域１５及び移動フード１３の一部を握持して魚とのやりとりや、投擲等が行われる。
【００２１】
このように、上記リールシートは、固定フード１２に所定の握り状態で、手の平及び指が載置され、他の握り状態で、一部の指が、フード面上に載置可能な形状を有する、上記固定フード１２の硬度に比して軟質な滑り止め領域１５を設けて構成した。
【００２２】
これによれば、握持形態として、軟質な滑り止め領域１５を握持して手に馴染んだ握持状態と、滑り止め領域１５と、該滑り止め領域１５に比して硬質な固定フード１２面との双方を利用した投擲に適した握持状態を選択することができることにより、各釣り動作において、安定した竿操作が可能となり、竿操作性の向上に寄与することができる。
【００２３】
なお、上記実施の形態では、異なる釣り動作における最適な握持形態を実現する滑り止め領域１５を、固定フード１２に略リング状に設けるように構成した場合で説明したが、これに限ることなく、その他、例えば上記滑り止め領域１５の竿管先端側に切り欠く部位を形成するように構成することも可能で、略同様の効果が期待される。
【００２４】
また、上記記実施の形態では、リールシート構造として、固定フード１２を竿軸先端部側に配する構成のものに適用した場合で説明したが、これに限ることなく、移動フード１３を竿軸先端部側に配し、後端側に固定フード１２を配する構成のものにおいても適用可能である。
【００２５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００２６】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２７】
【図１】この発明の一実施の形態に係るリールシートを側面から見た状態を示した平面図である。
【図２】図１をリール取付脚載置面側より見た状態を示した平面図である。
【図３】握持した状態を示した平面図である。
【図４】図１の固定フードを取り出して示した図である。
【図５】図１の固定フードを取り出して図４と異なる方向から見た状態を示した図である。
【図６】図１の固定フードを取り出して図４及び図５と異なる方向から見た状態を示した図である。
【図７】図１のカバー部材を取り出して示した図である。
【図８】図１のリールシート本体と固定フードとの組合わせ状態を示した平面図である。
【図９】図１の移動フードを取り出して示した平面図である。
【図１０】図１の移動フードを一部断面して示した一部断面図である。
【符号の説明】
【００２８】
９…リール、９１…取付脚、１０…リールシート本体、１０１…リール取付脚載置面、１０２…螺子部、１１…竿管、１２…固定フード、１２１…脚挿入部、１２２…カバー収容凹部、１２３…凹部、１３…移動フード、１３１…挿通孔、１４…カバー部材、１４１…凸部、１５…滑り止め領域、１５１…凹部、１６…調整ナット部材、１７…保護部材、１７２…凸部、１７３…滑り止め部。
【図１】
2005185193.tif 000003
【図２】
2005185193.tif 000004
【図３】
2005185193.tif 000005
【図４】
2005185193.tif 000006
【図５】
2005185193.tif 000007
【図６】
2005185193.tif 000008
【図７】
2005185193.tif 000009
【図８】
2005185193.tif 000010
【図９】
2005185193.tif 000011
【図１０】
2005185193.tif 000012